(57)【要約】【課題】簡易な構成で、低コストで、効率的な制振を行うことが可能な制振パネル等を提供する。【解決手段】隣接する２本の間柱２、３及び相対向する上下繋ぎ材４、５で形成される内側空間に２本の横架材６、７を設け、上側の横架材６と、２本の間柱２、３と、上繋ぎ材４とで形成されるフレームに振動追従板８を固定し、下側の横架材７と、２本の間柱２、３と、下繋ぎ材５とで形成されるフレームに振動追従板９を固定し、中間部１１を空間１０のままとした制振パネル１等。制振パネル１の中間部１１のみが変形し、層間変形を空間１０に凝結させるとともに、せん断抵抗機能を発揮し、軸組壁工法等において効率的な制振を行う。空間１０に粘弾性ダンパー、摩擦ダンパー又は鋼材ダンパーを収装し、制振効果をさらに上げることもできる。振動追従板８、９には、鉄板、ＯＳＢボード、石膏ボード、合板、ＢＬＢ等を使用できる。【選択図】図１
2007138407.tif 000002
【特許請求の範囲】
【請求項１】
隣接する２本の間柱、及び相対向する上下繋ぎ材で形成される内側空間に、互いに離間して配置される２本の横架材と、
該２本の横架材のうち上側の横架材と、前記２本の間柱と、前記上繋ぎ材とで形成されるフレームに固定される振動追従板と、
前記２本の横架材のうち下側の横架材と、前記２本の間柱と、前記下繋ぎ材とで形成されるフレームに固定される振動追従板とを備えることを特徴とする制振パネル。
【請求項２】
前記互いに離間して配置される２本の横架材と、前記２本の間柱との間に、粘弾性ダンパー、摩擦ダンパー又は鋼材ダンパーを収装したことを特徴とする請求項１に記載の制振パネル。
【請求項３】
前記振動追従板は、鉄板、ＯＳＢボード、石膏ボード、合板又はＢＬＢを含む面材であることを特徴とする請求項１又は２に記載の制振パネル。
【請求項４】
隣接する２本の柱、及び相対向する上下梁で形成される内側空間に、互いに離間して掛け渡される横桟と、
該２本の横桟のうち上側の横桟と、前記２本の柱と、前記上梁とで形成されるフレームに固定される振動追従板と、
前記２本の横桟のうち下側の横桟と、前記２本の柱と、前記下梁とで形成されるフレームに固定される振動追従板とを備えることを特徴とする制振構造。
【請求項５】
前記互いに離間して配置される２本の横桟と、前記２本の柱との間に、粘弾性ダンパー、摩擦ダンパー又は鋼材ダンパーを収装したことを特徴とする請求項４に記載の制振構造。
【請求項６】
前記振動追従板は、鉄板、ＯＳＢボード、石膏ボード、合板又はＢＬＢを含む面材であることを特徴とする請求項４又は５に記載の制振構造。
【発明の詳細な説明】
【技術分野】
【０００１】
本発明は、建築物の制振技術に関し、特に、２Ｘ４工法等の軸組壁工法、及び在来工法である木造軸組工法による木造建築物等の制振を行う制振パネル及び制振構造に関する。
【背景技術】
【０００２】
従来、強風や地震等による木造建築物の揺れを抑えるため、種々の制振構造が提案されている。例えば、特許文献１には、床パネルと、壁パネルとで構成されるユニット建物の制振構造において、床パネルの内部に制振装置を設けて建物の水平振動を制振している。
【０００３】
【特許文献１】特開平１１−３２４４０４号公報
【発明の開示】
【発明が解決しようとする課題】
【０００４】
しかし、上記特許文献１に記載の建物の制振構造は、取付金具と、制振ゴムと、ウエイトと、制振ばねとを組み立てることにより構成しているため、構造が複雑で、一つの建物に多数設置すると設置コストが高騰するという問題があった。また、その他の建物の制振構造についても、構造が複雑なものがほとんどであり、設置コストが高い割には、それに見合う効果を奏するものは見当たらなかった。また、２Ｘ４工法等の軸組壁工法においても、同様の問題が存在していた。
【０００５】
そこで、本発明は、上記従来の建物の制振構造等における問題点に鑑みてなされたものであって、簡易な構成で、低コストで、効率的な制振を行うことが可能な制振パネル及び制振構造を提供することを目的とする。
【課題を解決するための手段】
【０００６】
上記目的を達成するため、本発明は、制振パネルであって、隣接する２本の間柱、及び相対向する上下繋ぎ材で形成される内側空間に、互いに離間して配置される２本の横架材と、該２本の横架材のうち上側の横架材と、前記２本の間柱と、前記上繋ぎ材とで形成されるフレームに固定される振動追従板と、前記２本の横架材のうち下側の横架材と、前記２本の間柱と、前記下繋ぎ材とで形成されるフレームに固定される振動追従板とを備えることを特徴とする。
【０００７】
そして、本発明によれば、上下に振動追従板を備えたフレーム構造の間に空間を設けたため、地震等の際には、この空間を含む中間部のみが変形し、層間変形を中間部の空間位置に凝結させることができるとともに、せん断抵抗機能を併せ持つ制振パネル得ることができ、軸組壁工法等において、簡易な構成で、低コストで、効率的な制振を行うことが可能となる。
【０００８】
前記制振パネルにおいて、前記互いに離間して配置される２本の横架材と、前記２本の間柱との間に、粘弾性ダンパー、摩擦ダンパー又は鋼材ダンパーを収装することができる。これらのダンパーによって振動エネルギーを吸収することにより、さらに効率的な制振を行うことができる。
【０００９】
また、前記制振パネルにおいて、前記振動追従板を、鉄板、ＯＳＢボード、石膏ボード、合板又はＢＬＢを含む面材とすることができる。
【００１０】
さらに、本発明は、制振構造であって、隣接する２本の柱、及び相対向する上下梁で形成される内側空間に、互いに離間して掛け渡される横桟と、該２本の横桟のうち上側の横桟と、前記２本の柱と、前記上梁とで形成されるフレームに固定される振動追従板と、前記２本の横桟のうち下側の横桟と、前記２本の柱と、前記下梁とで形成されるフレームに固定される振動追従板とを備えることを特徴とする。
【００１１】
そして、本発明によれば、上下に振動追従板を備えたフレーム構造の間に空間を設けたため、地震等の際には、この空間を含む中間部のみが変形し、層間変形を中間部の空間位置に凝結させることができるとともに、せん断抵抗機能を併せ持つ制振構造を得ることができ、在来工法である木造軸組工法等において、簡易な構成で、低コストで、効率的な制振を行うことが可能となる。
【００１２】
前記制振構造において、前記互いに離間して配置される２本の横桟と、前記２本の柱との間に、粘弾性ダンパー、摩擦ダンパー又は鋼材ダンパーを収装し、振動エネルギーを吸収して、さらに効率的な制振を行うことができる。
【００１３】
また、前記制振構造において、前記振動追従板を、鉄板、ＯＳＢボード、石膏ボード、合板又はＢＬＢを含む面材とすることができる。
【発明の効果】
【００１４】
以上のように、本発明によれば、簡易な構成で、低コストで、効率的な制振を行うことが可能な制振パネル及び制振構造を提供することができる。
【発明を実施するための最良の形態】
【００１５】
図１は、本発明にかかる制振パネルの一実施の形態を示し、この制振パネル１は、隣接する２本の間柱２、３と、相対向する上下繋ぎ材４、５と、２本の横架材６、７と、上側及び下側のフレーム内に配置された振動追従板としての鉄板８、９とで構成され、中央フレームは空間１０となっている。
【００１６】
次に、上記構成を有する制振パネル１の動作について、図２を参照しながら説明する。図２（ｂ）は、２本の間柱１２、１３と、上下繋ぎ材１４、１５のみからなり、フレーム状に形成された従来のパネルが地震等によって変形した状態を示す。このように、従来は、２本の間柱１２、１３が全体的に傾斜し、図中の層間変形がδ２＞δ２’となっていた。一方、本発明では、図２（ａ）に示すように、横架材６、７と、鉄板８、９とを備えるため、中間部１１のみが変形し、層間変形がδ１＝δ１’となる。このように、本発明では、層間変形を中間部の空間位置に凝結させることができるとともに、せん断抵抗機能を併せ持つ制振パネルを得ることができる。
【００１７】
尚、前記振動追従板として、鉄板８、９の代わりに、ＯＳＢボード、石膏ボード、合板、ＢＬＢ等の面材を用いることもできる。
【００１８】
また、上記空間１０に、弾性ダンパー、摩擦ダンパー又は鋼材ダンパー等の制振デバイスを収装し、振動エネルギーを吸収し、さらに制振効果を上げることもできる。
【００１９】
次に、本発明にかかる制振構造の一実施の形態について図３及び図４を参照しながら説明する。
【００２０】
この制振構造２１は、隣接する２本の柱２２、２３と、土台２４及び梁２５と、２本の横桟２６、２７と、上方及び下方のフレーム内に配置された振動追従板としての鉄板２８、２９と、２本の横桟２６、２７の間に形成された空間３０に収装された２つの壁制振ゴム構造３１、３２とで構成される。
【００２１】
壁制振ゴム構造３１（３２）は、図４に示すように、鉄板４１、４２と、制振ゴム４３〜４５とで構成され、横桟２６及び横桟２７に、接着剤、及びボルト４６、４７及びナット４８、４９を介して固定される。
【００２２】
上述のような構成を有する制振構造２１（図３参照）は、上記制振パネル１と同様、地震等の際に、図３の中間部の壁制振ゴム構造３１、３２が収装された空間３０のみが変形することとなるため、層間変形を中間部の空間位置に凝結させることができ、また、せん断抵抗機能を併せ持つこととなる。さらに、本実施の形態では、２つの壁制振ゴム構造３１、３２を設けたため、これらのダンパ３１、３２によって地震等の際の振動エネルギーを吸収し、より大きな制振効果を発揮する。
【００２３】
尚、振動追従板として、鉄板２８、２９の代わりに、ＯＳＢボード、石膏ボード、合板、ＢＬＢ等の面材を用いてもよい。
【００２４】
また、空間３０には、壁制振ゴム構造３１、３２の他、弾性ダンパー、摩擦ダンパー等の制振デバイスを収装することもできる。
【図面の簡単な説明】
【００２５】
【図１】本発明にかかる制振パネルの一実施の形態を示す図であって、（ａ）は正面図、（ｂ）は（ａ）のＡ−Ａ線断面図、（ｃ）は（ａ）のＢ−Ｂ線断面図、（ｄ）は（ａ）のＣ−Ｃ線断面図である。
【図２】図１の制振パネルの機能を説明するための概略図である。
【図３】本発明にかかる制振構造の一実施の形態を示す正面図である。
【図４】図３の制振構造の壁制振ゴム構造を示す図であって、（ａ）は正面図、（ｂ）は（ａ）のＤ−Ｄ線断面図である。
【符号の説明】
【００２６】
１  制振パネル
２  間柱
３  間柱
４  上繋ぎ材
５  下繋ぎ材
６  横架材
７  横架材
８  鉄板
９  鉄板
１０  空間
１１  中間部
１２  間柱
１３  間柱
１４  上繋ぎ材
１５  下繋ぎ材
２１  制振構造
２２  柱
２３  柱
２４  土台
２５  梁
２６  横桟
２７  横桟
２８  鉄板
２９  鉄板
３０  空間
３１  壁制振ゴム構造
３２  壁制振ゴム構造
４１  鉄板
４２  鉄板
４３  制振ゴム
４４  制振ゴム
４５  制振ゴム
４６  ボルト
４７  ボルト
４８  ナット
４９  ナット
【図１】
2007138407.tif 000003
【図２】
2007138407.tif 000004
【図３】
2007138407.tif 000005
【図４】
2007138407.tif 000006